(57)【要約】【課題】ユーザの主観的評価が反映されたＱｏＳを実現することのできる基地局装置、携帯情報端末装置、無線通信方法を実現する。【解決手段】携帯通信端末装置１０において、基地局装置１１との間の通信区間における通信速度に対するユーザの満足度によるＱｏＳ値を、基地局装置１１へ通知し、基地局装置１１は受信したＱｏＳ値に基づいて重み付けを行い、無線リソースを携帯通信端末装置１０に割り当てる。また、複数の携帯情報端末装置１０から取得された要求ＱｏＳ情報について重み付けを行い、無線リソースを携帯情報端末装置１０に割り当てることにより、ユーザの満足度をより適切に考慮することができる。【選択図】図１
2012109775.tif 000002
【特許請求の範囲】
【請求項１】
携帯情報端末装置との間の通信区間における通信速度に関する前記携帯情報端末装置の要求ＱｏＳ情報を取得するＱｏＳ取得部と、前記ＱｏＳ取得部によって取得された要求ＱｏＳ情報に基づいて無線リソースを前記携帯情報端末装置に割り当てる通信処理部とを含むことを特徴とする基地局装置。
【請求項２】
前記通信処理部は、複数の携帯情報端末装置から取得された要求ＱｏＳ情報について重み付けを行い、無線リソースを前記携帯情報端末装置に割り当てることを特徴とする請求項１に記載の基地局装置。
【請求項３】
基地局装置との間の無線通信区間における通信速度に対するユーザの満足度から要求ＱｏＳレベルを判定するＱｏＳ判定部と、前記ＱｏＳ判定部によって判定された要求ＱｏＳレベルを、通信速度の制御のために前記基地局装置へ通知する通信部とを含むことを特徴とする携帯情報端末装置。
【請求項４】
自装置において動作しているアプリケーションソフトウェアからの要求ＱｏＳと自装置の処理性能とに基づいて実現可能ＱｏＳを算出する端末処理性能判定部を更に含み、前記通信部は、前記要求ＱｏＳレベルおよび前記端末処理性能判定部によって算出された前記実現可能ＱｏＳを、通信速度の制御のために前記基地局装置へ通知することを特徴とする請求項３に記載の携帯情報端末装置。
【請求項５】
携帯情報端末装置との間の通信区間における通信速度に関する前記携帯情報端末装置の要求ＱｏＳ情報を取得するＱｏＳ取得ステップと、前記ＱｏＳ取得ステップにおいて取得された要求ＱｏＳ情報に基づいて無線リソースを前記携帯情報端末装置に割り当てる通信処理ステップとを含むことを特徴とする無線通信方法。
【発明の詳細な説明】
【技術分野】
【０００１】
本発明は、基地局装置、携帯情報端末装置、無線通信方法に関するものである。
【背景技術】
【０００２】
移動体通信においてネットワーク側でのＱｏＳ管理は、例えば、基地局装置において行われる。例えば、携帯情報端末装置の伝播環境、アプリケーションソフトウェア（以下、適宜、アプリケーションと呼ぶ）の要求するＱｏＳ等を考慮した無線リソースの割り当てを行うような基地局装置が知られている。
携帯情報端末装置の伝播環境にその端末装置の通信性能を含める提案も存在する（例えば、特許文献１参照）。
【０００３】
家庭内のある場所に無線通信可能なチューナー端末装置やビデオを設置し、設置したチューナー端末装置やビデオからＡＶ（Audio Visual）データを無線ＬＡＮによってストリーム配信する場合に、ＱｏＳを保証する提案も存在する（例えば、特許文献２参照）。
ユーザの契約内容や通信量をＱｏＳ管理の指標とする提案も存在する（例えば、特許文献３参照）。
【０００４】
ユーザ毎にサービスクラスを予め設定しておく提案も存在する（例えば、特許文献４参照）。
測定エージェントを内蔵した通信端末を含む電気通信ネットワークにおいてサービス品質（ＱｏＳ）を監視するアーキテクチャーに関する提案も存在する（例えば、特許文献５参照）。
【０００５】
また、無線端末に割り当てられているＳＧ（Serving Grant）が十分であるか否かを示すハッピービット（Happy Bit）を、Ｅ−ＤＰＣＣＨ（Enhanced Dedicated Physical Control Channel）を介して基地局に送信する技術（例えば、特許文献６参照）や、Ｅ−ＤＰＣＣＨにおいて、通信端末が現在のサービング許可（ＳＧ）に「満足（happy）」か「不満（unhappy）」かを通知する技術（例えば、特許文献７参照）もある。
【先行技術文献】
【特許文献】
【０００６】
【特許文献１】特開２００５−０３９６５１号公報
【特許文献２】特開２００７−１２４２４９号公報
【特許文献３】特開２００７−０５８４９４号公報
【特許文献４】特開２００４−１６４０７７号公報
【特許文献５】特表２００７−５２８６１８号公報
【特許文献６】特開２００９−０９４６３７号公報
【特許文献７】特開２００８−０２２５６１号公報
【発明の概要】
【発明が解決しようとする課題】
【０００７】
移動体通信において、ユーザの利用形態・要求サービス品質（要求ＱｏＳ）は多様化しているが、通信端末の通信以外の性能（処理速度等）が考慮されていない。例えば、通信先のＣＰＵ（Central Processing Unit）の性能、消費電力制御などによっても、受信データの処理速度には差がある。
ユーザによるＱｏＳ評価は極めて主観的であり、同じＱｏＳが実現されていてもユーザ満足度にはばらつきが生じる。すなわち、通信速度について、ユーザの主観的評価がＱｏＳに反映される仕組みがない。この点については、特許文献１〜７に記載の技術では解決することができない。
【０００８】
本発明は、ユーザの主観的評価が反映されたＱｏＳを実現することのできる基地局装置、携帯情報端末装置、無線通信方法の提供を目的とする。
【課題を解決するための手段】
【０００９】
上記課題を解決するために、本発明による基地局装置は、携帯情報端末装置との間の通信区間における通信速度に関する前記携帯情報端末装置の要求ＱｏＳ情報を取得するＱｏＳ取得部（例えば、図２中の受信用通信部２０に対応）と、前記ＱｏＳ取得部によって取得された要求ＱｏＳ情報に基づいて無線リソースを前記携帯情報端末装置に割り当てる通信処理部（例えば、図２中のスケジューリング部２２に対応）とを含むことを特徴とする。この構成によれば、通信速度に対するユーザの満足度を考慮した通信速度を実現することができる。
【００１０】
また、前記通信処理部は、複数の携帯情報端末装置から取得された要求ＱｏＳ情報について重み付けを行い、無線リソースを前記携帯情報端末装置に割り当てることが好適である。重み付けを行うことにより、複数のユーザの満足度をより適切に考慮することができる。
本発明による携帯情報端末装置は、基地局装置との間の無線通信区間における通信速度に対するユーザの満足度から要求ＱｏＳレベルを判定するＱｏＳ判定部（例えば、図４中の要求ＱｏＳ判定部４１に対応）と、前記ＱｏＳ判定部によって判定された要求ＱｏＳレベルを、通信速度の制御のために前記基地局装置へ通知する通信部と（例えば、図４中の通信部４０に対応）を含むことを特徴とする。この構成により、基地局装置側で通信品質に対するユーザの満足度を正確に把握できる。
【００１１】
また、携帯情報端末装置は、自装置において動作しているアプリケーションソフトウェアからの要求ＱｏＳと自装置の処理性能とに基づいて実現可能ＱｏＳを算出する端末処理性能判定部を更に含み、前記通信部は、前記要求ＱｏＳレベルおよび前記端末処理性能判定部によって算出された前記実現可能ＱｏＳを、通信速度の制御のために前記基地局装置へ通知するのが好適である。携帯情報端末装置の処理性能を考慮することにより、ユーザの主観的評価を適切に反映したＱｏＳを実現することができる。
【００１２】
本発明による無線通信方法は、携帯情報端末装置との間の通信区間における通信速度に関する前記携帯情報端末装置の要求ＱｏＳ情報を取得するＱｏＳ取得ステップと、前記ＱｏＳ取得ステップにおいて取得された要求ＱｏＳ情報に基づいて無線リソースを前記携帯情報端末装置に割り当てる通信処理ステップとを含むことを特徴とする。こうすることにより、通信速度に対するユーザの満足度を考慮した通信速度を実現することができる。
【発明の効果】
【００１３】
本発明によれば、無線通信区間に関する携帯情報端末装置の要求ＱｏＳ情報を取得し、この取得された要求ＱｏＳ情報に基づいて無線リソースを携帯情報端末装置に割り当てることにより、通信速度に対するユーザの満足度を考慮したＱｏＳを実現できるという効果がある。
【図面の簡単な説明】
【００１４】
【図１】本発明の実施形態にかかる通信システムの全体図である。
【図２】本発明の実施形態にかかる基地局装置の構成図である。
【図３】基地局装置のＱｏＳ記憶部の保有しているデータベースの構成例を示す図である。
【図４】本発明の実施形態にかかる携帯情報端末装置の構成例を示すブロック図である。
【図５】本発明の実施形態にかかる携帯情報端末装置の変形例の構成例を示すブロック図である。
【発明を実施するための形態】
【００１５】
以下、本発明の実施の形態を、図面を参照して説明する。なお、以下の説明において参照する各図では、他の図と同等部分は同一符号によって示されている。
（通信システムの構成例）
図１は本実施形態にかかる通信システム全体図である。同図を参照すると、本発明が適用される通信システムには、基地局装置１１と携帯情報端末装置１０とが含まれている。基地局装置１１と携帯情報端末装置１０との間は、無線通信が行われる。なお、携帯情報端末装置１０と同等の構成を有する他の携帯情報端末装置（図示せず）も基地局装置１１と無線通信を行っているものとする。
【００１６】
以下、基地局装置１１、携帯情報端末装置１０の構成例について、それぞれ図面を用いて説明する。
（基地局装置の構成例）
次に、本実施形態にかかる基地局装置１１の構成について説明する。図２は、本実施形態にかかる基地局装置１１の構成例を示すブロック図である。
本実施形態にかかる基地局装置１１は、携帯情報端末装置１０の要求ＱｏＳ情報を受信する受信用通信部２０と、要求ＱｏＳを記憶するＱｏＳ記憶部２１と、要求ＱｏＳに基づいて重み付けにより無線リソースを割り当てるスケジューリング部２２と、携帯情報端末装置へ送信を行う送信用通信部２３とを有している。つまり、受信用通信部２０は、携帯情報端末装置１０の要求ＱｏＳ情報を取得するＱｏＳ取得部としての機能を有している。また、スケジューリング部２２は、取得された要求ＱｏＳ情報に基づいて、無線リソースを携帯情報端末装置に割り当てる通信処理部としての機能を有している。
【００１７】
（ＱｏＳ記憶部の保有するデータベース）
図３は、ＱｏＳ記憶部の保有するデータベース（ＤＢ）の構成例を示す図である。図３において、本例のデータベースは、「携帯情報端末の種類」、「無線性能」、「ベースバンド性能」、「アプリケーションの要求ＱｏＳ（下限）」、「端末処理性能による実現可能ＱｏＳを考慮した要求ＱｏＳ（上限）」、「ユーザ特性からの推定要求ＱｏＳ」を構成要素としている。
【００１８】
「携帯情報端末の種類」には、携帯情報端末の種類を示す情報が格納される。「携帯情報端末の種類」は、携帯電話機だけでなく、情報端末(タッチパネル式の端末装置など)を含む移動体端末全般を指す。
「無線性能」は、無線システムに必要とされる受信信号の品質を確保するための最小入力信号である「受信感度」、アナログ信号の電圧値をディジタル信号に変換する際の分解能である「Ａ／Ｄ変換ビット数」を構成要素としている。
【００１９】
「ベースバンド性能」は、「変調方式」、「誤り訂正」、「キャンセラ」、「軟判定のビット数」を構成要素としている。
「アプリケーションの要求ＱｏＳ（下限）」には、アプリケーションの要求ＱｏＳの下限値が格納される。例えば、１秒間に１Ｍビットのデータ通信をするアプリケーションがあった場合、サービス利用のために最低限必要な通信速度は１Ｍｂｐｓとなる。アプリケーションによっては遅延への要求がある場合も考えられる。
【００２０】
また、「端末処理性能による実現可能ＱｏＳを考慮した要求ＱｏＳ（上限）」には、端末処理性能による実現可能ＱｏＳを考慮した要求ＱｏＳの上限値が格納される。例えば、端末が１秒間に受信できるデータ量が１Ｍビットでも、端末が１秒間に画面に表示処理ができるデータ量が０．５Ｍビットだった場合、０．５Ｍｂｐｓの通信速度が確保されれば良いと考えられる。
【００２１】
さらに、「ユーザ特性からの推定要求ＱｏＳ」には、携帯情報端末装置のユーザ特性からの推定要求ＱｏＳの値が格納される。例えば、ユーザが１秒間に読むことができる情報量が１画面（例えば１Ｍビット）だった場合、１Ｍｂｐｓの通信速度が確保されれば良いと考えられる。
本実施形態では、ＱｏＳ記憶部の保有するデータベースに、上記の情報が記憶される。上記の情報は例示であり、それらの情報に限定されるものではない。
【００２２】
（携帯情報端末装置の構成例）
続いて、本実施形態にかかる携帯情報端末装置１０の構成について説明する。図４は、本実施形態にかかる携帯情報端末装置１０の構成例を示すブロック図である。
本実施形態にかかる携帯情報端末装置１０は、通信速度に対するユーザの満足度から要求ＱｏＳレベルを判定する、通信速度に対するユーザ満足度による要求ＱｏＳ判定部４１と、それらを記憶するＱｏＳ記憶部４２と、ＱｏＳ記憶部５２に記憶されたＱｏＳを通信速度の制御のために基地局装置１１へ通知する通信部４０とを有している。
【００２３】
ここで、本実施形態にかかる基地局装置１１と携帯情報端末装置１０との関係について説明する。携帯情報端末装置１０は、通信速度に対するユーザの満足度から要求ＱｏＳレベルを判定する。そして、携帯情報端末装置１０は、要求ＱｏＳ情報を、通信速度の制御のために基地局装置１１へ通知する。基地局装置１１は携帯情報端末装置１０から受信した要求ＱｏＳ情報に基づいた重み付けを行い、無線リソースを割り当てる。
【００２４】
（基地局装置の動作）
本実施形態にかかる基地局装置１１の動作について説明する。受信用通信部２０は携帯情報端末装置１０から要求ＱｏＳ情報を受信し、ＱｏＳ記憶部２１にその情報を格納する。ＱｏＳ記憶部２１は要求ＱｏＳ情報を記憶し、スケジューリング部２２の要求に応じて情報を提供する。スケジューリング部２２はＱｏＳ記憶部２１に格納されている要求ＱｏＳに基づいて重み付けにより無線リソースを携帯情報端末装置１０へ割り当てる。
【００２５】
（重み付けによる無線リソース割り当て）
以下に、代表的なスケジューリング方式による無線リソース割り当てについて説明する。ここでは、例として、ＷＲＲ（Weighted Round Robin）、ＰＦ（Proportional Fairness）について説明する。
（ＷＲＲ）
ＷＲＲは重み付け係数に従い各々のユーザへ無線リソースを割り当てる。ＷＲＲでは、式（１）に従って、無線リソースの割り当てが行われる。なお、式（１）において、ｎ＝全ユーザ数、αi＝ユーザｉの重み付け係数、である。
【００２６】
【数１】
2012109775.tif 000003
【００２７】
本例では、全ユーザ数ｎ＝３とし、その場合の無線リソース割り当ての例を表１にまとめた。
【００２８】
【表１】
2012109775.tif 000004
【００２９】
表１の（ａ）は各ユーザの要求ＱｏＳを元に定めた重み付け係数αである。表１の（ｂ）は無線リソース割り当ての結果である。ユーザＡ、Ｂ、Ｃの要求ＱｏＳをそれぞれ５、３、１とすると、ＷＲＲによる無線リソースの割り当てはＡ：Ｂ：Ｃ＝５：３：１となる。本方式を採用する場合は、重み付け係数に従い、複数のユーザの携帯情報端末装置へ無線リソースを割り当てるため、通信の機会を割り当てられないユーザが存在しないというメリットがある。
【００３０】
（ＰＦ）
ＰＦは、重み付けの大きい順に無線リソースを割り当てるのが基本方式である。ＰＦについては、重み付けの方法について数々の提案がなされている。ここでは、瞬時ＳＮＲ（Signal to Noise Ratio）に、重み付け係数αiを乗算した場合の無線リソース割り当てについて説明する。ＰＦでは、式（２）に従って、無線リソースの割り当てが行われる。なお、式（２）において、αi＝ユーザｉの重み付け係数である。
【００３１】
【数２】
2012109775.tif 000005
【００３２】
本例では、全ユーザ数ｎ＝３とし、その場合の無線リソース割り当ての例を表２にまとめた。
【００３３】
【表２】
2012109775.tif 000006
【００３４】
表２の（ａ）は各ユーザの要求ＱｏＳを元に定めた重み付け係数αi、瞬時ＳＮＲ値、及び、平均ＳＮＲ値である。表２の（ｂ）は無線リソース割り当ての結果である。ユーザＡ、Ｂ、Ｃの要求ＱｏＳをそれぞれ５、３、１とすると、ＰＦによる無線リソースの割り当ては、Ａ：Ｂ：Ｃ＝５：９：６（＝２．５：４．５：３）となる。
本方式を採用した場合は、瞬時ＳＮＲ及び平均ＳＮＲを考慮することでシステム全体の効率をある程度維持することができるというメリットがある。また、重み付け係数を用いることによって、複数のユーザ間の優先度付けとのトレードオフが可能である。
【００３５】
ここで、瞬時ＳＮＲ及び平均ＳＮＲについては、以下のように定義される。すなわち、基地局装置１１と携帯情報端末装置１０との間の通信を行うスケジューリングタイムスロットの最小単位をＴ［ｓｅｃ］とし、携帯情報端末装置１０からはシステムにより定められた間隔で移動機端末の受信環境を示す指標としてあるタイムスロットにおけるＳＮＲを基地局に送信する。これを瞬時ＳＮＲとする。そして、基地局装置１１において、受信した携帯情報端末装置１０からＳＮＲを一定タイムスロット数記憶しておき、平均ＳＮＲを算出する。
例えば、携帯情報端末装置１０から基地局装置１１へのＳＮＲ報告を毎タイムスロット行い、４タイムスロットごとの平均ＳＮＲを算出した場合、以下のようになる。
【００３６】
【表３】
2012109775.tif 000007
【００３７】
すなわち、本例では、タイムスロットＴ１からＴ４までの瞬時ＳＮＲ（Ｔ１）〜瞬時ＳＮＲ（Ｔ４）について平均値である平均ＳＮＲ（Ｔ１〜Ｔ４の平均値）を算出する。また、タイムスロットＴ５からＴ８までの瞬時ＳＮＲ（Ｔ５）〜瞬時ＳＮＲ（Ｔ８）について平均値である平均ＳＮＲ（Ｔ５〜Ｔ８の平均値）を算出する。その後のタイムスロットについても同様に、４タイムスロットごとに平均ＳＮＲを算出する。
【００３８】
（携帯情報端末装置の動作）
本実施形態にかかる携帯情報端末装置１０の動作について説明する。通信速度に対するユーザ満足度による要求ＱｏＳ判定部４１はユーザの満足度から要求ＱｏＳを判定し、ＱｏＳ記憶部４２に格納する。ＱｏＳ記憶部４２は通信速度に対するユーザ満足度による要求ＱｏＳ判定部４１から受け取った要求ＱｏＳ情報を記憶する。通信部４０はＱｏＳ記憶部４２から要求ＱｏＳ情報を読み出し、基地局装置１１に通知する。
【００３９】
なお、ユーザ満足度による要求ＱｏＳ判定部４１のより詳細な動作例としては、以下の（例１）、（例２）のような手法が考えられる。
（例１）ユーザ操作ログなどから、ユーザの要求ＱｏＳのレベルを推定する手法
例えば、Ｗｅｂブラウザによってブラウジング中のＷｅｂページ表示から次の操作までの時間を測定し、ユーザの処理能力を測定する。また、ユーザによるボタン入力の速度などからユーザの操作能力を測定するようにしてもよい。
【００４０】
ブラウジング中のＷｅｂページ表示から次の操作までの時間については、ブラウザアプリケーションの動作ログや、基地局装置との通信ログなどから算出することができる。また、ボタン入力速度については端末装置内のキー入力ログから算出することができる。これらの測定は、どちらもデバイス管理クライアントなどを用いて実現可能である。また、携帯情報端末装置１０がインカメラのついた携帯電話機であれば、眼球の動きなどを測定することで、これらを測定することも考えられる。
【００４１】
（例２）センサを利用したストレス度の測定
センサを利用してストレス度を測定する。例えば、携帯情報端末装置１０に搭載したセンサからストレス度を測定する。そして、提供ＱｏＳとの比例関係を算出することで要求ＱｏＳを推定する。ストレス度については、一般に、唾液センサや脈拍などに基づいて測定することができる。
【００４２】
また、「分子通信」と呼ばれるバイオチップを用いてストレス度を測定してもよい。なお、「分子通信」については、Ｗｅｂページ「ＵＲＬ：http://www.nttdocomo.co.jp/info/news_release/page/080327_00.html」に記載されている。
さらにまた、耳たぶに装着したセンサによってストレス度を測定してもよい。耳たぶに装着したセンサを用いる技術については、Ｗｅｂページ「ＵＲＬ：http://www.kddi.com/business/oyakudachi/square/labo/030/index.html」に記載されている。
【００４３】
（携帯情報端末装置の変形例）
さらに、本発明の実施形態にかかる携帯情報端末装置１０の変形例について説明する。図５はその構成を示すブロック図である。
図５において、本実施形態にかかる携帯情報端末装置１０は、通信速度に対するユーザの満足度から要求ＱｏＳレベルを判定する、通信速度に対するユーザ満足度による要求ＱｏＳ判定部４１と、それらを記憶するＱｏＳ記憶部４２と、ＱｏＳ記憶部４２に記憶されたＱｏＳを通信速度の制御のために基地局装置へ通知する通信部４０とを有する。以上は図４を参照して説明した構成と同様である。
【００４４】
変形例ではそれらに加え、自装置にインストールされ動作しているアプリケーションからの要求ＱｏＳを算出するアプリケーション要求ＱｏＳ部４４と、端末の性能を考慮して実現可能ＱｏＳを算出する端末処理性能判定部４３とを有している。
この携帯情報端末装置１０の変形例の動作について説明する。通信速度に対するユーザ満足度による要求ＱｏＳ判定部４１は、ユーザの満足度から要求ＱｏＳを判定し、その要求ＱｏＳをＱｏＳ記憶部４２に格納する。また、アプリケーション要求ＱｏＳ部４４は、動作しているアプリケーションからの要求ＱｏＳを算出し、端末処理性能判定部４３に格納する。端末処理性能判定部４３は、アプリケーションからの要求ＱｏＳと携帯情報端末装置の処理性能とを考慮して実現可能ＱｏＳを算出し、その実現可能ＱｏＳ情報をＱｏＳ記憶部４２に格納する。
【００４５】
アプリケーション要求ＱｏＳ部４４は、アプリケーションから発生する通信をそのままアプリケーションからの要求ＱｏＳとしてもよいし、通信がオールＩＰ（Internet Protocol）化された場合には、パケット内にそれらの情報が含まれるので、それを参照することによって、ネットワークで要求ＱｏＳを把握できる。
端末処理性能判定部４３は、例えばテストプログラムを動かすことによって、携帯情報端末装置１０の性能を測定する。
ＱｏＳ記憶部４２は通信速度に対するユーザ満足度による要求ＱｏＳ判定部４１から受け取った要求ＱｏＳ情報及び端末処理性能判定部４３から受け取った実現可能ＱｏＳ情報を記憶する。通信部４０はＱｏＳ記憶部４２から要求ＱｏＳ情報を読み出し、基地局装置１１に通知する。
【００４６】
（無線通信方法）
上述した基地局装置においては、以下のような無線通信方法が採用されている。すなわち、携帯情報端末装置との間の通信区間に関する前記携帯情報端末装置の要求ＱｏＳ情報を取得するＱｏＳ取得ステップ（受信用通信部２０の動作に対応）と、前記ＱｏＳ取得ステップにおいて取得された要求ＱｏＳ情報に基づいて無線リソースを前記携帯情報端末装置に割り当てる通信処理ステップ（スケジューリング部２２の動作に対応）とを含む無線通信方法が採用されている。この方法によれば、通信速度に対するユーザの満足度を考慮した通信速度を実現することができる。
【００４７】
（まとめ）
本実施形態による基地局装置は、通信相手である携帯情報端末装置の要求ＱｏＳ情報を取得して記憶しておき、記憶した要求ＱｏＳに基づいて重み付けにより無線リソースを割り当てることにより、通信速度に対するユーザの満足度を考慮した通信速度を実現できる。
【００４８】
本実施形態による携帯情報端末装置においては、通信速度に対するユーザの満足度から要求ＱｏＳレベルを判定し、通信速度の制御のために基地局装置へ通知する通信機能を有することにより、基地局装置側で通信品質に対するユーザの満足度をより正確に把握できる。
【符号の説明】
【００４９】
１０…携帯情報端末装置
１１…基地局装置
２０…受信用通信部
２１…ＱｏＳ記憶部
２２…スケジューリング部
２３…送信用通信部
４０…通信部
４１…通信速度に対するユーザ満足度による要求ＱｏＳ判定部
４２…ＱｏＳ記憶部
４３…端末処理性能判定部
４４…アプリケーション要求ＱｏＳ部
【図１】
2012109775.tif 000008
【図２】
2012109775.tif 000009
【図３】
2012109775.tif 000010
【図４】
2012109775.tif 000011
【図５】
2012109775.tif 000012